(57)【要約】【課題】  室内機で熱交換された冷気により、ダクト固定枠へ熱が伝播されることによる露付を低減するとともに、ダクト取付部に十分な作業スペースがなくてもダクトの固定を容易にする。【解決手段】  ダクト固定枠の筒部をダクトの外周とほぼ同じ大きさにするとともに、室内機の側板に段曲げした固定座を取り付け、前述の段曲げ部にダクト固定枠のフランジを挿入し、他方をねじ止めした。【選択図】図９
2009030851.tif 000002
【特許請求の範囲】
【請求項１】
冷媒と屋内空気との熱交換を行うための室内機と、前述の室内機で熱交換を行った空気が室内機から吐出され天井または床下のスペースに導き出すためのダクトと、ダクトを室内機に接続するための筒部を有するダクト固定枠において、前述のダクト固定枠の筒部がダクトの外周とほぼ同じ大きさであることを特徴とする空気調和システム。
【請求項２】
ダクトの端面が前述のダクト固定枠の端面からわずかに出ていることを特徴とする請求項１の空気調和システム。
【請求項３】
室内機の側板に段曲げした固定座を取り付けまたは側板の一部を段曲げに絞り切り、段曲げ部にダクト固定枠のフランジを挿入することにより固定し、前述の固定部とダクトと相対したダクト固定枠のフランジを側板にねじ止めしたことを特徴とする請求項１の空気調和システム。
【発明の詳細な説明】
【技術分野】
【０００１】
この発明は部屋を空調するため天井や床下に接続されるダクトの取り付け部分に関するものである
【背景技術】
【０００２】
従来、室内機の空気吐出部にダクトを接続し室内空調を行う空気調和機のダクト接続部は、ダクト固定枠の筒部がダクトの内壁に接するように取り付ける方法が一般に採られている。
【０００３】
【特許文献１】特開平６−３３７１５７号公報
【発明の開示】
【発明が解決しようとする課題】
【０００４】
従来のダクト接続部ではダクト固定枠の筒部がダクトの内側に位置しているため、冷房運転時においては、ダクト固定枠の筒部が室内機により熱交換された空気で冷やされ熱伝導によりダクト固定枠のフランジ部に伝播し、屋内の相対湿度が比較的高い時にはフランジ部に結露することがあった。この結露を防止するため、例えば室内機の吐出部に設けている樹脂発泡品の吐出チャンバーを室内機側板より機外方向へ出っ張らせダクト固定枠の筒部の内側に位置するように配し、熱交換により冷やされた冷気がダクト固定枠の筒部に触れることを低減する方法も採られている。しかしながら、この方法では室内機にダクト固定枠を取り付ける際には、ダクトの軸方向から接続することになり、ダクト取付部の作業スペースが十分に取れない場合にはダクトを接続できないという問題があった。
【０００５】
本発明は、ダクト固定枠への露付を低減するとともに、ダクト取付部に十分な作業スペースがなくてもダクトの固定を容易に出来るようにすることを目的とする。
【課題を解決するための手段】
【０００６】
上記課題を解決するため、請求項１にかかる発明は、冷媒と屋内空気との熱交換を行うための室内機と、前述の室内機で熱交換を行った空気が室内機から吐出され天井または床下のスペースに導き出すためのダクトと、ダクトを室内機に接続するための筒部を有するダクト固定枠を有する空気調和システムにおいて、前述のダクト固定枠の筒部がダクトの外周とほぼ同じ大きさであることを特徴とする。
【０００７】
請求項２にかかる発明は、ダクトの端面が前述のダクト固定枠の端面からわずかに出ていることを特徴とする。
【０００８】
請求項３にかかる発明は、室内機の側板に段曲げした固定座を取り付けまたは側板の一部を段曲げに絞り切り、段曲げ部にダクト固定枠のフランジを挿入することにより固定し、前述の固定部とダクトと相対したダクト固定枠のフランジを側板にねじ止めしたことを特徴とする。
【発明の効果】
【０００９】
本発明の空気調和システムは、冷房運転時において、ダクト固定枠の筒部が室内機により熱交換された空気で冷やされ熱伝導によりダクト固定枠のフランジ部に伝播し、屋内の相対湿度が比較的高い時にはフランジ部に結露することを低減し、かつダクト取付部の作業スペースが狭い場合にもダクトの接続を可能にする。
【発明を実施するための最良の形態】
【００１０】
本発明を実施するための形態を図を参照して説明する。
【実施例１】
【００１１】
図１は、本発明にかかる空気調和システムを家屋に設置した時の構造図で、図２はその平面図を示す。下駄箱・物入れ下の設置スペースに据付けられた室内機１により熱交換を行った空気は、角ダクト２ａ（２ｂ）により、家宅の床下空間７に導かれ、各部屋の巾木下に設置した巾木吐出口３１から室内の居住空間に吐出される。部屋間の出入口扉下部はわずかなアンダーカット２２を有しており室内機１にて発生させた静圧により、部屋空間の空気は吸込グリル３を通して室内機１の吸込口へ導かれ循環を繰り返すことにより、家宅全体を空調する仕組みとなっている。
【００１２】
図３は、室内機１の据付け例の詳細および室外機４との接続状態を示した図である。室内機の据付空間２３は、下駄箱・物入れ下の狭い据付けスペースに設けられている。室内機の据付けできる方向は玄関ホール側からの一方向のみである。
【００１３】
図４は、室内機１を下から見上げた図である。下駄箱・物入れ下に設けられた据付空間２３に据付けられた室内機１は、家宅全体を空調すべく必要十分な静圧を発生させるため、複数の送風装置１０２を備えている。これらの送風装置１０２により、室内機１の吸込口１０６より吸い込まれた空気は、熱交換器１０３により熱交換され室内機１の両端に位置する吐出チャンバー１１１から排出される。排出された空気は室内機１の両側に取り付けられた角ダクト２ａ，２ｂにより、床下空間に導かれる。
【００１４】
図５は、室内機１の側板１０５にダクト固定枠１０９をねじａ１１２，ねじｂ１１３により固定するところの図である。ダクト２の外周は、ダクト固定枠１０９の筒部とほぼ同じ大きさになっており、ダクト２をダクト固定枠１０９の筒部の内側に位置するように挿入し、固定用テープ１１０によって固定される。その後、ねじａ，ねじｂにより側板１０５に堅固に固定される。一般にダクト固定枠はダクトを強固に固定するため鋼板で作られている。冷房運転時熱交換された冷気は、吐出チャンバー１１１を通りダクト２に流れ込むが、ダクト２はダクト固定枠１０９の筒部の内側に位置しているので、冷気を遮断でき、また前述のダクトは断熱効果のある材料で作られているため、熱の外部への伝播を抑えることができるため、ダクト固定枠１０９を露点以下まで冷やすことはなく、屋内の空気が比較的相対湿度の高い時でもダクト固定枠１０９の結露を防止することが可能である。
【００１５】
ダクト２は、ダクト固定枠１０９に固定テープ１１０にて固定されるが、この時ダクト２の端面がダクト固定枠１０９の側板に固定する面から少し側板側に出ているので、ダクト固定枠１０９を側板に固定する際、ますダクト２が側板１０５に接触し、ねじａ１１２及びねじｂ１１３によりダクト固定枠１０９を側板１０５に締め付けるに従いダクト２が圧縮し、そのためダクト２を側板１０５に隙間なく密着でき、吐出チャンバー１１１からダクト２に流入する冷気を外部に漏洩することなくより確実に遮断することができるるため、冷気が屋内の比較的湿度が高い空気と接触することがなく、ダクト固定枠及び側板の露付を防止できる。
【００１６】
次に図６から図９を用いてダクト固定枠の取り付けにかかる発明の実施例を説明する。図６は、室内機の据付状態を据付方向側である玄関ホール側から見た図で、角ダクト２ａ，２ｂを室内機１に接続する前の状態を示している。図９は、ダクト２を室内機１に接続する前の状態を側板側から斜視した図である。室内機１は、据付空間２３の上面に取り付けられた全ねじの吊りボルト２００ａ，２００ｂに、室内機１の側板１０５ａ，１０５ｂに取り付けられた本体吊金具２０２ａ，２０２ｂを、取付具２０１ａ，２０１ｂを介して据付けられる。図８は、ダクト２が固定されたダクト固定枠１０９を室内機１の側板１０５に取り付けられた固定座１１４に挿入するところの図である。固定座１１４は、側板１０５に開口している室内機空気吐出口１０７に対して、据付空間２３の開放口と相対する側に取り付けられ、固定座１１４の段曲げによる開放口が、据付空間２３の開放口と同じ方向になるように取り付けられている。ダクト固定枠を室内機の側板に固定する時、ダクトの筒部より奥側の固定箇所でねじ止め作業のスペースがない場合でも、室内機の据付空間の開口部から、ダクト固定枠１０９を据付空間２３の開放口から奥の方へ滑らせて移動させ、ダクト固定枠１０９のフランジ部が固定座１１４の段曲げ開口部に挿入することにより室内機の側板１０５に比較的容易に固定することができる。図９は、ダクト固定枠１０９を側板１０５に固定したところの図である。前述の固定座１１４と相対する側は、ダクト固定枠１０９はねじａ１１２により側板１０５に固定される。尚固定座１１４は図では、側板１０５にねじによって固定されているが側板１０５に溶接によって固定されてもよい。また前述の固定座に換え、側板１０５の一部を段曲げさせ成形させてもよい。
【図面の簡単な説明】
【００１７】
【図１】空気調和システムを家屋に設置した時の構造図である。
【図２】空気調和システムを実際の部屋に適用した際の空気の流れを示す平面図である。
【図３】室内機の据付け例の詳細および室外機４との接続状態を示した図である。
【図４】室内機を下から見上げた図であり、（ａ）は露受皿を取り付けた構造図、（ｂ）は露受皿を取り外した構造図である。
【図５】室内機の側板にダクト固定枠を固定するところの図である。
【図６】室内機の据付けに関する図である。
【図７】ダクトを室内機に接続する前の状態を側板側から斜視した図である。
【図８】ダクト固定枠を側板に取り付けられた固定座に挿入するところの図である。
【図９】ダクト固定枠を側板に固定したところの図である。
【図１０】従来の室内機側板とダクトの接続を示した断面図である。
【図１１】従来の室内機側板とダクトの接続を示したもう１つの断面図である。
【符号の説明】
【００１８】
１  空気調和機の室内機
２ａ，２ｂ  角ダクト
３  吸込みグリル
４  空気調和機の室外機
５  冷媒配管
６  コンクリートスラブ
７  床下空間
１１  吐出口
１２  部屋
１５  家具等
２０  床
２１  扉
２２  アンダーカット
２３  室内機の据付空間
３０  巾木
３１  巾木吐出口
５０  玄関ホール等
５１  下駄箱・物入れ等
６０  室外
１０１  外箱
１０２  送風装置
１０３  熱交換器
１０４  露受皿
１０５  側板
１０６  室内機の空気吸込口
１０７  室外機の空気吐出口
１０８  電気品箱
１０９  ダクト固定枠
１１０  固定用テープ
１１１  吐出チャンバー
１１２  ねじａ
１１３  ねじｂ
１１４  固定座
１１５  ねじｃ
２００ａ，２００ｂ  吊りボルト
２０１ａ，２０１ｂ  取付具
２０２ａ，２０２ｂ  本体吊金具
【図１】
2009030851.tif 000003
【図２】
2009030851.tif 000004
【図３】
2009030851.tif 000005
【図４】
2009030851.tif 000006
【図５】
2009030851.tif 000007
【図６】
2009030851.tif 000008
【図７】
2009030851.tif 000009
【図８】
2009030851.tif 000010
【図９】
2009030851.tif 000011
【図１０】
2009030851.tif 000012
【図１１】
2009030851.tif 000013